(57)【要約】【課題】扉に対する取り付けが簡単に行なえるようにした扉用平面ハンドル装置を提供する。【解決手段】扉用平面ハンドル装置の本体部１の上下方向中間部の両側に外側に広がることが可能な一対の爪片１８が設けられており、この爪片１８は先端から外側に徐々に肉厚になる第１の傾斜面１８ａと、この第１の傾斜面１８ａの頂点である最大肉厚部１８ｂから徐々に肉薄になる第２の傾斜面１８ｃとを備え、本体部１の内部には爪片１８間に位置するように固定用スライド部材１９を設けてあり、この固定用スライド部材１９は一対の爪片１８の先端内面に圧接して爪片１８間を押し広げる一対の押し付け片２０を備え、押し付け片２０を爪片１８の内面に圧接させるために本体部１の背面側に引き寄せるべく固定用スライド部材１９に埋設した雌ねじ部剤２１に螺入し頭部が本体部１の背面側に露出する雄ねじ部材２２を備えている。【選択図】図７
2008174953.tif 000002
【特許請求の範囲】
【請求項１】
扉用平面ハンドル装置の本体部の前端部周囲には全周に亘って張り出す鍔部が形成されており、前記本体部の前面中央部にハンドルが設けられており、配電ボックスなどの本体に開閉自在に設けられる扉に前記本体部よりごく僅かに大きく形成された取り付け孔に本体部が扉の前面側から嵌め込まれてセットされるようにした扉用平面ハンドル装置であって、前記本体部の上下方向中間部の両側に外側に広がることが可能な一対の爪片が設けられており、この爪片は前記鍔部に近い先端から外側に徐々に肉厚になる第１の傾斜面と、この第１の傾斜面の頂点である最大肉厚部から徐々に肉薄になる第２の傾斜面とを備え、前記本体部の内部には前記爪片間に位置するように固定用スライド部材を設けてあり、この固定用スライド部材は一対の爪片の先端内面に圧接して爪片間を押し広げる一対の押し付け片を備え、この固定用スライド部材の押し付け片を爪片の内面に圧接させるために本体部の背面側に引き寄せるべく固定用スライド部材の雌ねじ部に螺入し頭部が本体部の背面側に露出する雄ねじ部材を備えていることを特徴とする扉用平面ハンドル装置。
【請求項２】
押し付け片が爪片の内面に進入しやすくするために押し付け片の外面には傾斜面が形成されていることを特徴とする請求項１記載の扉用平面ハンドル装置。
【発明の詳細な説明】
【技術分野】
【０００１】
本発明は、例えば配電ボックス、ガスチャンバー、トランクルームなどの本体開閉扉に取り付けられる扉用平面ハンドル装置に関するものである。
【背景技術】
【０００２】
従来のこの種扉用平面ハンドル装置としては例えば特許文献１に開示されているものが一例として知られている。この特許文献１に開示されている扉開閉用取手は取手本体の上下の鍔部の裏面に取手本体取付用のねじ座が設けられており、取手本体を扉の取り付け孔に前方から嵌め込むとともにねじ座を扉の孔部に嵌め込み、扉の裏面側より上下のねじ座の位置で扉開閉用取手を扉に対しねじ止めしている。
【特許文献１】特開平６−５００４１号公報
【発明の開示】
【発明が解決しようとする課題】
【０００３】
上記のような扉開閉用取手の取り付け方では、上下のねじ座の位置で扉開閉用取手を扉に対しねじ止めして取り付けているのであるが、ねじ止め箇所が２箇所であり、扉開閉用取手の取り付け作業に手間がかかるという問題があった。
【０００４】
本発明の目的は、このような課題を解決するものであり、扉に対する取り付けが簡単に行なえるようにした扉用平面ハンドル装置を提供することにある。
【課題を解決するための手段】
【０００５】
本発明の請求項１に記載の扉用平面ハンドル装置は、扉用平面ハンドル装置の本体部の前端部周囲には全周に亘って張り出す鍔部が形成されており、前記本体部の前面中央部にハンドルが設けられており、配電ボックスなどの本体に開閉自在に設けられる扉に前記本体部よりごく僅かに大きく形成された取り付け孔に本体部が扉の前面側から嵌め込まれてセットされるようにした扉用平面ハンドル装置であって、前記本体部の上下方向中間部の両側に外側に広がることが可能な一対の爪片が設けられており、この爪片は前記鍔部に近い先端から外側に徐々に肉厚になる第１の傾斜面と、この第１の傾斜面の頂点である最大肉厚部から徐々に肉薄になる第２の傾斜面とを備え、前記本体部の内部には前記爪片間に位置するように固定用スライド部材を設けてあり、この固定用スライド部材は一対の爪片の先端内面に圧接して爪片間を押し広げる一対の押し付け片を備え、この固定用スライド部材の押し付け片を爪片の内面に圧接させるために本体部の背面側に引き寄せるべく固定用スライド部材の雌ねじ部に螺入し頭部が本体部の背面側に露出する雄ねじ部材を備えていることを特徴とする。
【０００６】
請求項２に記載の扉用平面ハンドル装置は、押し付け片が爪片の内面に進入しやすくするために押し付け片の外面には傾斜面が形成されていることを特徴とする。
【発明の効果】
【０００７】
以上のように、本発明の扉用平面ハンドル装置は、１箇所の雄ねじ部材の操作により固定用スライド部材を本体部の背面側に引き寄せて固定用スライド部材の押し付け片を爪片の内面に圧接させ爪片間を押し広げることができる。そして、これにより第１の傾斜面が扉の取り付け孔の内端面に圧接して本体部を扉の取り付け孔に固定させることができる。この際、第１の傾斜面を取り付け孔の内端面に圧接させるようになっているので、扉の板厚が多少変わっても対応させることができる。
【発明を実施するための最良の形態】
【０００８】
以下、本発明の一実施の形態を、図１〜図１０を用いて具体的に説明する。
図において、１は扉用平面ハンドル装置の本体部で、この本体部１は背面側から見て縦長の長方形を呈し、本体部１の前端部周囲には全周に亘って張り出す鍔部２が形成されている。前記本体部１には前面中央部に縦長の開口部３が形成されており、この開口部３を開閉するハンドル４が開口部３の上端内側に位置する水平な軸５に上端が枢支されて設けられている。６はハンドル４を開口部３から突出する方向に付勢するばねである。前記本体部１の前面におけるハンドル４が設けられる開口部３の下側には小さな開口部７が形成されており、この開口部７内には前記ハンドル４を閉鎖状態から開放状態にロック解除するための押し釦８が設けられている。開口部７の内部において押し釦８の操作により連動するロック爪９が設けられ、ハンドル４が開口部３より突出していない状態においてロック爪９はハンドル４の下端の爪１０に係止してハンドル４が開口部３より突出していない状態を保持するように構成され、また押し釦８を押すことにより爪１０に対するロック爪９の係止が解除されてハンドル４が前記ばね６により開口部３から突出するように構成されている。１１は前記本体部１の背面における上端近傍に前記ハンドル４の開閉（回動）に伴ない正逆回転可能に設けられた止め金である。詳しくは、この止め金１１は本体部１の背面から突出する一方の軸１２に一側部が枢支され、止め金１１の開口孔部１１ａの内周の上部が閉じられた状態のハンドル４の背面側に突出する突出片１３に当接し、且つ開口孔部１１ａの内周の前記一側部に対向する他側部が本体部１の背面から突出する他方の軸１４に当接した状態で水平状態が保持されるようになっている。ハンドル４が開かれて開口部３より突出した状態になると前記突出片１３は下に傾き、止め金１１は軸１２を中心に自重で回転し、傾いた状態となるように構成されている。この状態からハンドル４が閉じられると前記突出片１３が上向きに戻って止め金１１の開口孔部１１ａの内周の上部が突出片１３で持ち上げられた状態となり、止め金１１は水平状態に戻るようになっている。扉用平面ハンドル装置にはこのようなハンドル４の開閉に連動する止め金１１が設けられているので、配電ボックスなどの本体１５に設けられる扉１６の取り付け孔１７に嵌め込まれて取り付けられた扉用平面ハンドル装置を操作して閉じられた扉１６を開くとき、前記押し釦８を押すことによりハンドル４は上端の軸５の周りで前方に突出し、それにより止め金１１は軸１２を中心に自重で回転して傾き、扉１６および本体１５の係止孔１６ａおよび１５ａから止め金１１が抜け外れて扉１６を開くことができる。
【０００９】
上記のような構成を備えた扉用平面ハンドル装置は例えば配電ボックスなどの本体１５に開閉自在に設けられる扉１６に前記本体部１よりごく僅かに大きく形成された縦長の長方形の取り付け孔１７に本体部１が扉１６の前面側から嵌め込まれてセットされるものであるが、本実施の形態では扉用平面ハンドル装置の本体部１の上下方向中間部の両側に外側に広がることが可能な一対の爪片１８が設けられている。この爪片１８は前記鍔部２に近い先端から外側に徐々に肉厚になる第１の傾斜面１８ａと、この第１の傾斜面１８ａの頂点である最大肉厚部１８ｂから徐々に肉薄になる第２の傾斜面１８ｃとを備え、本体部１を扉１６の取り付け孔１７に嵌め込む前は左右の爪片１８の最大肉厚部１８ｂ間の幅は取り付け孔１７の幅よりも僅かに大きくなっており、本体部１を扉１６の取り付け孔１７に嵌め込むとき本体部１を押し込むことにより取り付け孔１７の内端面に第２の傾斜面１８ｃが圧接しながら左右の爪片１８を押し縮め、前記最大肉厚部１８ｂを乗り越えたあと鍔部２の内面が扉１６の取り付け孔１７の周囲の前面に当たり、同時に第１の傾斜面１８ａが取り付け孔１７の内端面に当たる。かかる状態において爪片１８が元の状態に復元するとは限らず、そのままでは本体部１は取り付け孔１７から容易に抜け外れるおそれがあるので、爪片１８を強制的に押し広げる必要がある。そこで、本実施の形態では本体部１の内部で左右の爪片１８間に位置するように固定用スライド部材１９を設けてある。この固定用スライド部材１９は左右の爪片１８の先端内面に圧接して爪片１８間を押し広げる一対の押し付け片２０を備え、この固定用スライド部材１９を本体部１の背面側に引き寄せるべく固定用スライド部材１９の内部に埋設した雌ねじ部材２１に螺入し頭部が本体部１の背面側に露出する雄ねじ部材２２を備えている。固定用スライド部材１９を本体部１の背面側に引き寄せる際、押し付け片２０が爪片１８の内面に進入しやすくするために押し付け片２０の外面には傾斜面２０ａが形成されている。
【００１０】
本体部１を取り付け孔１７に嵌め込んだだけでは固定用スライド部材１９は本体部１の背面側に引き寄せられておらず、押し付け片２０は爪片１８の先端内面に当接していない。そこで、本体部１の背面側に露出する雄ねじ部材２２を本体部１の背面側で回して固定用スライド部材１９を押し付け片２０が爪片１８の内面に進入するまで引き寄せることにより左右の爪片１８間の距離は広がり、第１の傾斜面１８ａが取り付け孔１７の内端面に圧接して本体部１を扉１６の取り付け孔１７に固定させることができる。この際、第１の傾斜面１８ａを取り付け孔１７の内端面に圧接させるようになっているので、扉１６の板厚が多少変わっても対応させることができる。
【００１１】
ところで、前記扉用平面ハンドル装置を構成する各部材の材料は特に限定されるものではないが、特に固定用スライド部材１９は強度が必要なことから金属製が好ましい。また、本体部１は合成樹脂製であっても良いが、強度上問題とする場合は金属製が好ましい。但し、一対の爪片１８については弾性を有することから合成樹脂もしくは金属製の板ばねからなる爪片を用意し、インサート成形するようにしても良い。さらに、図面に示す実施の形態では本体部１は背面側から見て縦長の長方形を呈しているが、本体部１の形状は縦長の長方形に限定されるものではなく、例えば正方形などであっても良い。
【図面の簡単な説明】
【００１２】
【図１】本発明の一実施の形態における扉用平面ハンドル装置の斜視図である。
【図２】同扉用平面ハンドル装置の背面図である。
【図３】同ハンドルが閉じた状態における扉用平面ハンドル装置の縦断面図である。
【図４】同ハンドルが突出した状態における扉用平面ハンドル装置の縦断面図である。
【図５】同扉用平面ハンドル装置に内蔵された固定用スライド部材の斜視図である。
【図６】同扉用平面ハンドル装置を扉の取り付け孔に嵌め込んだ状態を示す横断面図である。
【図７】同扉の取り付け孔に嵌め込んだ扉用平面ハンドル装置を固定用スライド部材を介して扉に固定した状態を示す横断面図である。
【図８】同扉用平面ハンドル装置に取り付けた止め金を配電ボックスなどの本体に係止させた閉扉状態を示す正面図である。
【図９】同扉用平面ハンドル装置に取り付けた止め金を配電ボックスなどの本体に係止させた閉扉状態を示す背面図である。
【図１０】同扉用平面ハンドル装置に取り付けた止め金の係止を配電ボックスなどの本体から解除した状態を示す正面図である。
【符号の説明】
【００１３】
１      本体部
２      鍔部
３      開口部
４      ハンドル
５      軸
６      ばね
７      開口部
８      押し釦
９      ロック爪
１０      爪
１１      止め金
１１ａ    開口孔部
１２      軸
１３      突出片
１４      軸
１５      本体
１５ａ    係止孔
１６      扉
１６ａ    係止孔
１７      取り付け孔
１８      爪片
１８ａ    第１の傾斜面
１８ｂ    最大肉厚部
１８ｃ    第２の傾斜面
１９      固定用スライド部材
２０      押し付け片
２０ａ    傾斜面
２１      雌ねじ部材
２２      雄ねじ部材
【図１】
2008174953.tif 000003
【図２】
2008174953.tif 000004
【図３】
2008174953.tif 000005
【図４】
2008174953.tif 000006
【図５】
2008174953.tif 000007
【図６】
2008174953.tif 000008
【図７】
2008174953.tif 000009
【図８】
2008174953.tif 000010
【図９】
2008174953.tif 000011
【図１０】
2008174953.tif 000012